(57)【要約】【課題】簡単に組み立て、再利用、廃棄ができる組み立て防止。【解決手段】紙、ダンボール、可撓性の樹脂板等で以下の形状を形成する。すなわち、頭部の平面視の大きさに対応する正六角形の頭頂部と、前記正六角形の特定の辺に連続して、当該辺の方向の両側に所定の長さ、直行する方向に所定幅延伸した前の深み代と、前記正六角形の特定の辺に対向する辺に連続して、当該辺の方向の両側に所定の長さ、直行する方向に所定幅延伸した後の深み代と、上記２つの深み代の内、一方の深み代の長さ方向両端に形成した雄係止部と、上記２つの深み代の内、他方の深み代の所定の位置に形成した、前記雄係止部を受け止める雌係止部と、前記２つの深み代を前記六角形の特定の辺とそれに対向する辺付近でそれぞれ同じ方向に折り返し、雄係止部を雌係止部に結合した係合部とを備えるようにする。【選択図】図２
2014074249.tif 000002
【特許請求の範囲】
【請求項１】
頭部の平面視の大きさに対応する正六角形の頭頂部と、
前記正六角形の特定の辺に連続して、当該辺の方向の両側に所定の長さ、直行する方向に所定幅延伸した前の深み代と、
前記正六角形の特定の辺に対向する辺に連続して、当該辺の方向の両側に所定の長さ、直行する方向に所定幅延伸した後の深み代と、
上記２つの深み代の内、一方の深み代の長さ方向両端に形成した雄係止部と、
上記２つの深み代の内、他方の深み代の所定の位置に形成した、前記雄係止部を受け止める雌係止部と
前記２つの深み代を前記六角形の特定の辺とそれに対向する辺付近でそれぞれ同じ方向に折り返し、雄係止部を雌係止部に結合した係合部と
を備えたことを特徴とする帽子。
【請求項２】
前記前の深み代の前記六角形の特定の辺に対向する位置につば片を設けた請求項１に記載の帽子。
【請求項３】
前記正六角形の特定の辺、および特定の辺に対応する辺に隣接する辺と、前記いずれかの深み代の延伸方向で構成される、二等辺三角形の領域を補強片となし、当該補強片の頂点と底辺の中央部に至る線を前記折り返し時に外側からみて谷折れに折り返した請求項１に記載の帽子。
【発明の詳細な説明】
【技術分野】
【０００１】
本発明は、帽子に関し、特に、紙を折って作成する組み立て帽子に関するものである。
【背景技術】
【０００２】
ダンボール等の紙あるいは可撓性の合成樹脂板を折って帽子として使用することが、折りたたみ帽子（組み立て帽子）として、例えば、特開2011-21299号に開示されている。これによると、「頭部を覆う所望の立体形状の展開図よりなり、該展開図は各要素が隣り合う要素と折り曲げヒンジを介して結合している平面要素の組合せよりなる。更に、所望の要素に設けた小穴を通してそれぞれ別々の要素に固定した紐を引き絞ることにより立体形状を形成する」構成となっている。
【０００３】
また、特開2009-62664号には、多角形を有する平面構造に加工した樹脂シートの各要素をヒンジ構造とし、緊急時に多面体構造の帽子として使用する構成が開示されている。
【先行技術文献】
【特許文献】
【０００４】
【特許文献１】特開2011-21299号
【特許文献２】特開2009-62664号
【発明の概要】
【発明が解決しようとする課題】
【０００５】
上記従来のおりたたみ組み立て帽子は、災害発生時等の緊急時に頭部を保護する目的で開発されており、構成、形状とも複雑である。従って、同一グループに属する多数の者がそろいの帽子を着用してスポーツ観戦をしたり、各種イベントに参加する際にイベント名を印刷した帽子を着用する等の使い方をすると、コストが嵩むことになる。
【０００６】
本発明は上記従来の事情に鑑みて提案されたものであって、安価で扱いが簡単で使い捨てが可能な組み立て帽子を提供することを目的とするものである。
【課題を解決するための手段】
【０００７】
本発明の組み立て帽子は、頭部の平面視の大きさに対応する正六角形の頭頂部と、前記正六角形の特定の辺に連続して、当該辺の方向の両側に所定の長さ、直行する方向に所定幅延伸した前の深み代と、前記正六角形の特定の辺に対向する辺に連続して、当該辺の方向の両側に所定の長さ、直行する方向に所定幅延伸した後の深み代と、上記２つの深み代の内、一方の深み代の長さ方向両端に形成した雄係止部と、上記２つの深み代の内、他方の深み代の所定の位置に形成した、前記雄係止部を受け止める雌係止部と、前記２つの深み代を前記六角形の特定の辺とそれに対向する辺付近でそれぞれ同じ方向に折り返し、雄係止部を雌係止部に結合した係合部とを備えた構成としている。
【０００８】
また、前記前の深み代の前記六角形の特定の辺に対向する位置につば片を設けるようにしている。前記正六角形の特定の辺、および特定の辺に対応する辺に隣接する辺と、前記いずれかの深み代の延伸方向で構成される、二等辺三角形の領域を補強片となし、当該補強片の頂点と底辺の中央部に至る線を前記折り返し時に外側からみて谷折れに折り返した構成とする。
【発明の効果】
【０００９】
上記構成によって、型紙の前後の深み代を折り込んで雄係止部と雌係止部を連結することによって、簡単に帽子の形状となり、使用済みになったときには、連結系部を外して元の平らな状態にして、再使用あるいは廃棄等の処理ができることになる。
【図面の簡単な説明】
【００１０】
【図１】本発明の展開図
【図２】本発明の組み立て図
【発明を実施するための形態】
【００１１】
図１は本発明の展開紙の裏側を示す平面図、図２は本発明の組み上がった状態を示す斜視図である。
【００１２】
まず、厚紙、ダンボール、可撓性の樹脂シート等に、人の頭部の平面視の大きさに対応する正六角形の頭頂部１１を形成する。次いで、当該正六角形の特定の辺１１ａに連続して、当該特定の辺の方向の両側に所定の長さＬ１、当該辺１ａに直行する方向に所定幅Ｌ１１延伸して前の深み代１２を形成する。同様に、前記頭頂部１１の前記の特定の辺１１ａに対向する辺１１ｂに連続して、当該辺１１ｂの方向の両側に所定の長さＬ２、各辺に直行する方向に所定幅Ｌ２１延伸した後の深み代１３を形成する。前記前後の深み代１２、１３は特定の辺１１ａとそれに対向する辺１１ｂに「略平行」に延伸されるが、「略平行」の意味は、後述するように帽子として折ったときに、前記前後の深み代１２、１３で頭に対応する環を曲率を持ってということであり、実際には前記頭頂部１１を取り巻くように若干の曲率をもっている。
【００１３】
上記２つの深み代１２、１３は、後述するように前記頭頂部１１に対して、所定の方向に折り返（紙面に直角方向に折り返）して、相互に両端部を重ねることによって、帽子の深さに相当する部分となる。上記重ねた部分は外れないようにする必要上、以下の連係部が設けられる。すなわち、一方の深み代（図面上は前の深み代１２）の長さ方向両端に、後述する雌係止部に係止する形状の雄係止部１２１ａ、１２１ｂを形成する。同様に、他方の深み代（図面上は後の深み代１３）の所定の位置に、前記雄係止部１２１ａ、１２１ｂを受け止める形状の雌係止部１３１ａ、１３１ｂを形成する。
【００１４】
前記雄係止部１２１ａ、１２１ｂ、雌係止部１３１ａ、１３１ｂはどのような形状であってもかまわないが、例えば、図１に示すように、雄係止部１２１ａ、１２１ｂは、前の深み代の両端に、帽子として折ったときの下開きのくびれとその先の突起が形成される。また、前記雌係止部１３１ａ、１３１ｂは上記雄係止部１２１ａ、１２１ｂの突起が嵌り込む大きさの、幅方向のスリットで、頭の後中央方向にやや湾曲したスリットとして形成される。後述するように、このスリットに対して前記雄係止部１２１ａ、１２１ｂとしての突起がくびれまで差し込まれ、前記くびれがスリットに引っかかって両者の係合が成り立つようになっている。
【００１５】
帽子として出来上がったときに、当該帽子を被る人の頭の大きさに合う必要があり、前記雌係止部１３１ａ、１３１ｂは後述するように頭の周囲方向に複数形成される。もちろん雄係止部１２１ａ、１２１ｂが前の深み代の両端に設けられているので、雌係止部１３１ａ、１３１ｂも頭の後中央から前側に渡って対称に複数形成され、被る人の頭の大きさに合わせて、スリットの位置を選択できるようになっている。
【００１６】
次いで、前記前後の深み代１２、１３を前記六角形の頭頂部１１の深み代を形成する特定の辺１１ａとそれに対向する辺１１ｂに「略沿って」それぞれ同じ方向に90度近く折り返し、前記のように頭の大きさに合わせて雄係止部１２１ａ、１２１ｂの突起を雌係止部１３１ａ、１３１ｂのスリットに差し込む。これによって連結部が形成されることになる。
【００１７】
前記「略沿って」とは、深み代を形成する特定の１１ａ辺より若干前方（後方）に丸みを持たせた曲線１２２、１３２に沿ってという意味であり、この曲線は頭の丸みを吸収することになる。
【００１８】
前記頭頂部１１の前の深み代１２を形成する辺１１ａの一方向に隣接する辺１１ｃと、前記辺１１ａと辺１１ｃの付け根Ａ１から、辺１１ｃと辺１１ａの前の深み代方向への延伸方向に沿って形成された付け根Ａ１を頂点とする二等辺三角の領域を補強片Ｅ１となす。同様に、辺１１ａの他方向に隣接する辺１１ｄと、前記辺１１ａと辺１１ｄの付け根Ａ２から、当該辺１１ｄと辺１１ａの前の深み代方向への延伸方向に沿って形成された付け根Ａ２を頂点とする二等辺三角の領域を補強片Ｅ２となす。
【００１９】
また、前記頭頂部１１の後の深み代１２を形成する辺１１ｂの両方向に隣接する２つ辺と、辺１１ｂと後の深み代の延伸方向との間に形成される、２つの付け根Ａ３、Ａ４を頂点とする二等辺三角の領域も補強片Ｅ３、Ｅ４とする。
【００２０】
更に、前の深み代１２の前記特定の辺１１ａに対向する側に、鍔片１４を設けておく。
【００２１】
以上のように展開型を形成し、前記２つの深み代１２、１３を１方向（例えば図面上紙面の上側）に折り返し、前記したように、雄係止部１２１ａ、１２１ｂを被る人の頭の大きさに合う前記雌係止部１３１ａ、１３１ｂのスリットに差し込む。同時に、前記付け根Ａ１・・Ａ４からそれに対向する底辺の中央（前記）に至る線e1・・e4を外側からみて谷折れに折り返す。これによって、帽子の形状が形成されるとともに、前記全体の強度が増すことになる。更に、鍔片１４を立てることによって帽子の組み立ては完了する。
【００２２】
この帽子は、紙やダンボールあるいは可撓性の樹脂シートで簡単に折ることができるので、各種イベントの入り口で当該イベントの名称を印刷した帽子を参加者に配布したり、当該帽子の色を以って運動会やスポーツ観戦等のチーム分けをしたりすることに利用できる。
【産業上の利用可能性】
【００２３】
上記したように本発明は簡単に組み立てることができ、材質に紙を選択すると廃棄が簡単となり、イベント、スポーツ観戦等に使用することができ、産業上の利用可能性が極めて高い。
【符号の説明】
【００２４】
１１・・頭頂部
１１ａ、１１ｂ
１２・・前の深み代
１３・・後の深み代
【図１】
2014074249.tif 000003
【図２】
2014074249.tif 000004